(57)【要約】【課題】ＥＣＢレギュレーション等の偽貨の取扱いに関する規定に対して柔軟に対応できる貨幣処理装置を提供する。【解決手段】貨幣処理装置は、機外から貨幣を受け入れる貨幣受入部と、貨幣受入部から投入された貨幣を搬送する搬送部と、搬送部によって搬送される貨幣の金種及び真偽を識別する識別部と、貨幣を収納するとともに、収納された貨幣を繰出し可能な複数の収納繰出部と、収納繰出部から繰り出された貨幣を投出する貨幣投出部と、複数の収納繰出部への貨幣の収納及び複数の収納繰出部からの貨幣の繰出しを制御する制御部と、を備え、複数の収納繰出部を金種ごとに割り当てる第１モードと、複数の収納繰出部の少なくとも一つを偽貨収納用に割り当てる第２モードと、を有する。制御部は、第１モードと第２モードのうち、選択したモードに従って貨幣の収納及び繰出しを制御する。【選択図】図５
2018142260.tif 000002
【特許請求の範囲】
【請求項１】
機外から貨幣を受け入れる貨幣受入部と、
前記貨幣受入部から投入された貨幣を搬送する搬送部と、
前記搬送部によって搬送される前記貨幣の金種及び真偽を識別する識別部と、
前記貨幣を収納するとともに、収納された貨幣を繰出し可能な複数の収納繰出部と、
前記収納繰出部から繰り出された貨幣を投出する貨幣投出部と、
前記複数の収納繰出部への貨幣の収納及び前記複数の収納繰出部からの貨幣の繰出しを制御する制御部と、を備え、
前記複数の収納繰出部を金種ごとに割り当てる第１モードと、前記複数の収納繰出部の少なくとも一つを偽貨収納用に割り当てる第２モードと、を有し、
前記制御部は、前記第１モードと前記第２モードのうち、選択したモードに従って前記貨幣の収納及び繰出しを制御することを特徴とする貨幣処理装置。
【請求項２】
前記制御部は、
前記第１モードでは、全ての前記収納繰出部からの貨幣の繰出しを許可し、
前記第２モードでは、少なくとも出金処理において、前記偽貨収納用に割り当てられた収納繰出部からの貨幣の繰出しを禁止することを特徴とする請求項１に記載の貨幣処理装置。
【請求項３】
前記制御部は、前記識別部が偽造貨幣を検出したことを条件として、前記第１モードから前記第２モードに切り替えることを特徴とする請求項１又は２に記載の貨幣処理装置。
【請求項４】
前記識別部が偽造貨幣を検出したことを報知する報知部と、
前記第１モード又は前記第２モードの選択指示を受け付ける入力部と、をさらに備え、
前記制御部は、前記入力部からの入力に基づいて前記第１モードから前記第２モードに切り替えることを特徴とする請求項１又は２に記載の貨幣処理装置。
【請求項５】
前記制御部は、前記第１モードでは、前記識別部が偽造貨幣を検出したときに、当該偽造貨幣を前記貨幣投出部に搬送させることを特徴とする請求項４に記載の貨幣処理装置。
【請求項６】
前記制御部は、前記第２モードにおいて前記偽貨収納用に割り当てる収納繰出部を、所定の条件に基づいて決定することを特徴とする請求項１から５のいずれか一項に記載の貨幣処理装置。
【請求項７】
前記所定の条件は、前記識別部と、前記搬送部によって搬送される前記貨幣を前記収納繰出部へ分岐する分岐部との間の距離を含むことを特徴とする請求項６に記載の貨幣処理装置。
【請求項８】
前記所定の条件は、前記第１モードにおいて前記収納繰出部に割り当てられていた金種を含むことを特徴とする請求項６に記載の貨幣処理装置。
【請求項９】
前記所定の条件は、前記収納繰出部に収納されている貨幣枚数を含むことを特徴とする請求項６に記載の貨幣処理装置。
【請求項１０】
前記所定の条件は、前記収納繰出部の設置位置を含むことを特徴とする請求項６に記載の貨幣処理装置。
【請求項１１】
前記制御部は、回収処理において、前記偽貨収納用に割り当てた収納繰出部に収納した偽造貨幣を含む全貨幣を繰出し、前記貨幣投出部に搬送することを特徴とする請求項１から１０のいずれか一項に記載の貨幣処理装置。
【請求項１２】
前記収納繰出部から繰り出された貨幣を収納する予備収納部をさらに備え、
前記制御部は、回収処理において、前記偽貨収納用に割り当てた収納繰出部に収納した偽造貨幣を含む全貨幣を繰出し、前記予備収納部に搬送することを特徴とする請求項１から１０のいずれか一項に記載の貨幣処理装置。
【請求項１３】
前記予備収納部は、取り外し可能であることを特徴とする請求項１２に記載の貨幣処理装置。
【請求項１４】
前記制御部は、前記偽貨収納用に割り当てた収納繰出部に貨幣が収納されていないことを条件として、前記第２モードから前記第１モードに切り替えることを特徴とする請求項１から１３のいずれか一項に記載の貨幣処理装置。
【請求項１５】
前記制御部は、前記第１モードから前記第２モードへ切り替える際、前記偽貨収納用に割り当てられた収納繰出部に収納されていた真正貨幣を繰り出すことを特徴とする請求項１から１３のいずれか一項に記載の貨幣処理装置。
【発明の詳細な説明】
【技術分野】
【０００１】
本発明は、貨幣の投入や投出を行う貨幣処理装置に関する。
【背景技術】
【０００２】
従来、紙幣及び硬貨を含む貨幣の入出金処理を行う貨幣処理装置が知られている。この種の貨幣処理装置としては、例えば、小売店や飲食店に設置される自動釣銭機や、金融機関に設置される入出金機等がある。
【０００３】
一般的な貨幣処理装置は、金種別に予め割り当てられた複数の収納繰出部を備え、貨幣受入部から投入された貨幣を所定の収納繰出部に搬送し収納するとともに、収納されている貨幣を繰り出して貨幣投出部から投出する。貨幣処理装置では、貨幣受入部から収納繰出部へ投入貨幣を搬送する搬送過程において、投入貨幣の金種識別、真偽判定及び正損判定が行われ、これらの結果に基づいて投入貨幣が選別され、所定の搬送先（例えば、収納繰出部、貨幣投出部又は回収カセットなど）に搬送される（例えば、特許文献１、２）。
【０００４】
以下において、貨幣の金種識別、正損判定及び真偽判定を総称して、単に「識別」と呼ぶ。真偽判定において真正であると判定された貨幣を「真貨」又は「真券」、真正でないと判定された貨幣（偽造貨幣及び真偽不確定貨幣を含む）を「偽貨」と称する。また、真貨のうち、正損判定において、汚れや破れが少なく再流通するに適当であると判定された貨幣を「正貨（fit money）」、汚れや破れにより再流通が不適当であると判定された貨幣を「損貨（unfit money）」と称する。なお、紙幣の場合は、それぞれ「真券」、「偽券」、「正券」及び「損券」とも称される。
【０００５】
ところで、ヨーロッパの金融市場においては、投入紙幣が偽貨であると識別された場合には、当該偽貨を貨幣処理装置内に取り込み、再流通させてはいけないことが、欧州中央銀行（ＥＣＢ：European Central Bank）によって制定されている（以下、「ＥＣＢレギュレーション」という。）。将来的には、同様のＥＣＢレギュレーションが硬貨についても適用され、さらには、小売市場においても要求されることが予想される。
【０００６】
しかしながら、特許文献１に開示の貨幣処理装置（硬貨入出金機）は、投入貨幣が偽貨であると識別された場合、リジェクト貨幣として貨幣投出部に返却されるようになっており、ＥＣＢレギュレーションに対応していない。
【０００７】
一方、特許文献２に開示の貨幣処理装置（紙幣処理装置）は、投入紙幣が偽貨であると識別された場合に、当該偽貨の搬送を所定の位置で停止させたり、当該偽貨を偽貨用に予め用意された貨幣収納部（いわゆるキャプチャービン（Capture Bin））に収納させたりする等、偽貨が装置外部に返却されないようになっている。すなわち、特許文献２に開示の貨幣処理装置は、ＥＣＢレギュレーションに準拠した運用が可能である。
【先行技術文献】
【特許文献】
【０００８】
【特許文献１】特開２０１２−１７４０３９号公報
【特許文献２】特開２０１２−２０３６６６号公報
【発明の概要】
【発明が解決しようとする課題】
【０００９】
しかしながら、特許文献２に開示の貨幣処理装置のように、投入紙幣が偽貨であると識別された場合に、その都度、当該偽貨の搬送を停止させる手法は、貨幣の入出金業務が停滞することになり、好ましくない。また、偽貨収納用の貨幣収納部に偽貨を収納させる手法は、偽貨収納用の貨幣収納部を収納繰出部とは別に設けておく必要があり、装置の大型化を招く。さらには、現状の小売市場又は欧州以外の金融市場のように、偽貨の再流通が別段禁止されておらず、偽貨の取扱いが設置事業者に委ねられている場合、特許文献２に開示の貨幣処理装置は過剰性能を有することとなり、導入が見送られる虞がある。偽貨の取り扱いについては、ＥＣＢレギュレーション以外にも、国、地域、市場または顧客ごとに異なる様々な規定があり得るが、現状では、簡易な装置で柔軟に対応することができていない。
【００１０】
本発明の目的は、偽貨の取扱いに対して柔軟に対応できる貨幣処理装置を提供することである。
【課題を解決するための手段】
【００１１】
本発明に係る貨幣処理装置は、
機外から貨幣を受け入れる貨幣受入部と、
前記貨幣受入部から投入された貨幣を搬送する搬送部と、
前記搬送部によって搬送される前記貨幣の金種及び真偽を識別する識別部と、
前記貨幣を収納するとともに、収納された貨幣を繰出し可能な複数の収納繰出部と、
前記収納繰出部から繰り出された貨幣を投出する貨幣投出部と、
前記複数の収納繰出部への貨幣の収納及び前記複数の収納繰出部からの貨幣の繰出しを制御する制御部と、を備え、
前記複数の収納繰出部を金種ごとに割り当てる第１モードと、前記複数の収納繰出部の少なくとも一つを偽貨収納用に割り当てる第２モードと、を有し、
前記制御部は、前記第１モードと前記第２モードのうち、選択したモードに従って前記貨幣の収納及び繰出しを制御することを特徴とする。
【発明の効果】
【００１２】
本発明の貨幣処理装置によれば、偽貨の取扱いに対して柔軟に対応することができる。
【図面の簡単な説明】
【００１３】
【図１】本発明の一実施の形態に係る硬貨入出金機の外観を示す斜視図である。
【図２】図１に示す硬貨入出金機の内部構成を示す側面図である。
【図３】図１に示す硬貨入出金機の内部構成を示す正面図である。
【図４】図１に示す硬貨入出金機の制御系の構成を示すブロック図である。
【図５】第１の実施の形態に係る入出金処理の一例を示すフローチャートである。
【図６】第２の実施の形態に係る入出金処理野一例を示すフローチャートである。
【図７】図７Ａ、図７Ｂは、貨幣処理装置の他の一例を示す側面図及び平面図である。
【発明を実施するための形態】
【００１４】
以下、本発明の実施の形態を、図面を参照して詳細に説明する。
【００１５】
［第１の実施の形態］
図１は、本発明の一実施の形態に係る硬貨入出金機１の外観を示す斜視図である。図２は、硬貨入出金機１の内部構成を示す側面図である。図３は、硬貨入出金機１の内部構成を示す正面図である。図４は、硬貨入出金機１の制御系の構成を示すブロック図である。なお、図１〜図４は、後述の第２の実施の形態に係る硬貨入出金機２の説明において流用される。
【００１６】
まず、硬貨入出金機１における入金処理、出金処理及び回収処理について簡単に説明しておく。入金処理は、入金された硬貨を計数し、入金額を確定する処理である。出金処理は、所定の出金情報に基づいて硬貨を出金する処理である。出金情報は、例えば、操作表示部１１０又は上位装置（外部装置）から指定される。また、出金情報は、出金すべき金額であってもよいし、出金すべき硬貨の金種と枚数であってもよい。硬貨入出金機１が自動釣銭機である場合は、出金処理は釣銭硬貨を払い出す処理を含む。また、硬貨入出金機１が両替機である場合は、出金処理は両替硬貨を払い出す処理を含む。回収処理は、装置の内部にある硬貨を、装置の外部に回収する処理である。回収処理では、装置の内部にあるすべての硬貨を回収してもよいし、一部の硬貨のみを回収してもよい。また、回収処理は、硬貨を回収ボックス７０に収納して回収する方法と、硬貨投出部６０から回収する方法がある。
【００１７】
図１〜図４に示すように、硬貨入出金機１は、硬貨受入部１０、貯留繰出部２０、入金搬送部３０、複数の収納繰出部４０、出金搬送部５０、硬貨投出部６０、回収ボックス７０、制御部１００、操作表示部１１０、記憶部１２０、及び通信部１３０等を備える。
【００１８】
硬貨受入部１０は、筐体Ｃの上面に配置され、外部に臨む硬貨受入口を有する。入金処理において、利用者が投入した硬貨は、硬貨受入部１０から機内に受け入れられ、自重により貯留繰出部２０に送られる。
【００１９】
貯留繰出部２０は、筐体Ｃ内において、硬貨受入部１０の下方に配置され、硬貨受入部１０に投入された硬貨を一時的に貯留するとともに、貯留された硬貨を１枚ずつ入金搬送部３０に繰り出す。貯留繰出部２０は、回転円盤２１及びカバー部材２２を有する。回転円盤２１は、鉛直方向に対して所定角度で傾斜して配置され、傾斜姿勢で回転する。回転円盤２１とカバー部材２２との間に、硬貨を貯留する硬貨貯留空間２３が形成される。
【００２０】
入金搬送部３０は、筐体Ｃ内において、貯留繰出部２０の上方に配置され、貯留繰出部２０から繰り出された硬貨を１枚ずつ搬送する。入金搬送部３０は、第１の入金搬送部分３０Ａ、折り返し入金搬送部分３０Ｂ、及び第２の入金搬送部分３０Ｃを有する。第１の入金搬送部分３０Ａは、略水平方向に沿って延在し、貯留繰出部２０から繰り出された硬貨を搬送する。折り返し入金搬送部分３０Ｂは、湾曲形状（ここでは半円弧形状）を有し、第１の入金搬送部分３０Ａから送られた硬貨の搬送方向を逆方向に変える。第２の入金搬送部分３０Ｃは、略水平方向に沿って延在し、折り返し入金搬送部分３０Ｂから送られた硬貨を搬送する。図２では、貯留繰出部２０から繰り出された硬貨は、第１の入金搬送部分３０Ａにより右方向に搬送され、折り返し入金搬送部分３０Ｂにより搬送方向を転換され、第２の入金搬送部分３０Ｃにより左方向に搬送される。
【００２１】
入金搬送部３０は、搬送ベルト３１、識別部３２、金種別選別部３３、リジェクト選別部３４、シュート３６、駆動モーター３７、及び通過センサー３５等を有する。
【００２２】
搬送ベルト３１は、複数のプーリー（符号略）に張架された無端ベルトである。１つのプーリーに取り付けられた駆動モーター３７の動作に伴い、搬送ベルト３１は一方向（図２では反時計回り）に循環移動する。搬送ベルト３１は、等間隔で配置された複数の突起部（図示略）を有する。１つの突起部に硬貨が１枚引っ掛けられることにより、搬送面上で硬貨が１枚ずつ搬送される。
【００２３】
識別部３２は、金種別選別部３３及びリジェクト選別部３４の硬貨搬送方向上流側に配置される。識別部３２は、投入された硬貨の金種、真偽、及び正損の識別を行う。すなわち、投入硬貨は、識別部３２によって、「真貨」、「真偽不確定貨」及び「偽貨」のいずれかに識別される。さらに、「真貨」は、「正貨」、「損貨」のいずれかに識別される。以下において、金種別選別部３３とリジェクト選別部３４を区別しない場合は、「選別部３３、３４」と称する。
【００２４】
金種別選別部３３は、第１の入金搬送部分３０Ａ及び第２の入金搬送部分３０Ｃに配置される。具体的には、第１の入金搬送部分３０Ａに３つの金種別選別部３３が配置され、第２の入金搬送部分３０Ｃに５つの金種別選別部３３が配置される。金種別選別部３３は、識別部３２による硬貨の識別結果に基づいて、投入硬貨を金種ごとに選別し、それぞれの金種別選別部３３に連設されたシュート３６を介して、当該投入硬貨の金種に対応する収納繰出部４０に向けて送出する。
【００２５】
リジェクト選別部３４は、第１の入金搬送部分３０Ａにおいて、金種別選別部３３の硬貨搬送方向上流側に配置される。リジェクト選別部３４は、識別部３２による硬貨の識別結果に基づいて、リジェクト硬貨を選別し、リジェクト選別部３４に連設されたシュート３６を介して、硬貨投出部６０に向けて送出する。リジェクト硬貨とは、返却処理の対象となっている硬貨であり、識別部３２の識別結果に基づいて決定される。例えば、リジェクト硬貨は、識別部３２によって偽貨または真偽不確定貨と識別された硬貨とすることができる。また、リジェクト硬貨は損貨を含んでもよい。また、リジェクト硬貨は、硬貨入出金機１が受け付けないように設定された特定の金種の硬貨を含んでもよい。
【００２６】
シュート３６は、選別部３３、３４に連設され、選別部３３、３４から送出された硬貨を滑落させる。シュート３６は、例えば、収納繰出部４０を基準に、出金搬送部５０とは反対側に配置される。
【００２７】
通過センサー３５は、金種別選別部３３及びリジェクト選別部３４に対応して、それぞれの硬貨搬送方向上流側の近傍に配置される。通過センサー３５は、例えば光センサーで構成され、投入硬貨の通過を検出する。通過センサー３５の検出結果（投入硬貨の通過タイミング）に基づいて、金種別選別部３３及びリジェクト選別部３４の動作が制御される。
【００２８】
収納繰出部４０は、筐体Ｃ内において、入金搬送部３０の下方に複数配置される。本実施の形態では、８つの収納繰出部４０が、鉛直方向に３段（上段：２つ、中段：３つ、下段：３つ）となるよう配置されている。収納繰出部４０は、すべて同一の構成を有する。具体的には、それぞれの収納繰出部４０は、入金搬送部３０により搬送され、シュート３６を介して送出された硬貨を収納するとともに、収納された硬貨を１枚ずつ繰り出す。なお、収納繰出部４０は、鉛直方向において２段、または４段以上となるよう配置されてもよいし、複数の収納繰出部４０が互いに異なる構成を有していてもよい。
【００２９】
収納繰出部４０は、回転円盤４１及びカバー部材４２を有する。回転円盤４１は、鉛直方向に対して所定角度で傾斜して配置され、傾斜姿勢で回転する。回転円盤４１とカバー部材４２との間に、硬貨を収納する硬貨収納空間４３が形成される。
【００３０】
収納繰出部４０から繰り出される硬貨の繰出し方向は、入金搬送部３０による硬貨の搬送方向と略直交する。具体的には、図２において、入金搬送部３０による硬貨の搬送方向が紙面に平行な方向であるのに対して、収納繰出部４０から繰り出される硬貨の繰出方向は紙面に直交する方向である。
【００３１】
第１モードにおいて、収納繰出部４０は、金種ごとに割り当てられる。「第１モード」とは、通常の入出金処理が実行されるモードである。第１モードでは、例えば、５円硬貨、５０円硬貨、１００円硬貨及び５００円硬貨の収納用に、それぞれ１つの収納繰出部４０が割り当てられ、１円硬貨及び１０円硬貨の収納用に、それぞれ２つの収納繰出部４０が割り当てられる。一方、第２モードでは、収納繰出部４０の少なくとも一つは、偽貨収納用に割り当てられる。「第２モード」とは、入金処理において偽貨が機内に投入されても返却せずに、偽貨を再流通させないモードであり、偽貨が検出されることに伴い選択可能となる。
【００３２】
偽貨が検出され、第２モードが選択された場合、例えば１円硬貨収納用の収納繰出部４０及び１０円硬貨収納用の収納繰出部４０のうちの１つが、偽貨収納用に割り当てられる。
【００３３】
出金搬送部５０は、出金処理または回収処理において、それぞれの収納繰出部４０から繰り出された硬貨を硬貨投出部６０に搬送する。出金搬送部５０は、第１の出金搬送部分５０Ａ及び第２の出金搬送部分５０Ｂを有する。第１の出金搬送部分５０Ａは、収納繰出部４０の下方において、略水平方向に延在する。第２の出金搬送部分５０Ｂは、第１の出金搬送部分５０Ａから送られた硬貨を硬貨投出部６０に搬送する。
【００３４】
出金搬送部５０は、搬送ベルト５１及び駆動モーター（符号略）等を有する。搬送ベルト５１は、複数のプーリー（符号略）に張架された無端ベルトである。１つのプーリーに取り付けられた駆動モーターの動作に伴い、搬送ベルト５１は時計回り又は反時計回りに循環移動する。搬送ベルト５１は、等間隔で配置された複数の突起部（図示略）を有する。１つの突起部に硬貨が１枚引っ掛けられることにより、搬送面上で硬貨が１枚ずつ搬送される。
【００３５】
収納繰出部４０から繰り出された硬貨は、出金搬送部５０が配置されている側（図３では右側）に向けて送出され、第１の出金搬送部分５０Ａにおける搬送ベルト５１上に落下し、時計回り又は反時計回りに搬送される。搬送ベルト５１は、例えば、収納繰出部４０から繰り出された硬貨を硬貨投出部６０に搬送する場合は図２における反時計回りに回転し、回収ボックス７０に搬送する場合は図２における時計回りに回転する。
【００３６】
硬貨投出部６０は、筐体Ｃの正面に配置され、外部に臨む硬貨投出口を有する。出金搬送部５０によって搬送された硬貨は、硬貨投出部６０に投出され、利用者によって取り出される。
【００３７】
なお、硬貨入出金機１は、硬貨投出部６０とは別に、リジェクト硬貨を機外に返却するためのリジェクト部を有していてもよい。リジェクト部の返却口は、例えば、硬貨投出口の近傍に設けられる。
【００３８】
回収ボックス７０は、筐体Ｃ内において、出金搬送部７０の下方に配置される予備収納部である。回収ボックス７０は、筐体Ｃに対して着脱自在に設けられる。回収ボックス７０は、回収処理において使用される。また、回収ボックス７０は、収納繰出部４０からオーバーフローした硬貨が、出金搬送部５０によって回収ボックス７０に搬送されるオーバーフロー処理でも使用される。オーバーフローした硬貨を回収ボックス７０ごと回収する処理も、回収処理に含まれる。利用者は、筐体Ｃから回収ボックス７０を取り出すことにより、回収用の硬貨を回収ボックス７０ごと回収することができる。なお、回収ボックス７０は、第２モードにおいて収納繰出部４０に収容した偽貨を回収する場合にも利用することができる。
【００３９】
制御部１００は、演算／制御装置としてのＣＰＵ１０１（Central Processing Unit）、主記憶装置としてのＲＯＭ１０２（Read Only Memory）及びＲＡＭ１０３（Random Access Memory）等を備える。ＲＯＭ１０２には、ＢＩＯＳ（Basic Input Output System）等の基本プログラムや基本的な設定データが記憶される。ＣＰＵ１０１は、ＲＯＭ１０２又は記憶部１２０から処理内容に応じたプログラムを読み出してＲＡＭ１０３に展開し、展開したプログラムを実行することにより、硬貨入出金機１の各ブロックの動作を集中制御する。
【００４０】
操作表示部１１０は、例えばタッチパネル付きのフラットパネルディスプレイで構成される。フラットパネルディスプレイとしては、液晶ディスプレイ、有機ＥＬディスプレイなどを用いることができる。操作表示部１１０は、図１には図示していないが、例えば、筐体Ｃの上面の硬貨受入部１０の後方に取り付けられる。また、操作表示部１１０は、硬貨入出金機１の本体とは別のユニットとし、硬貨入出金機１の本体に有線または無線で接続されるようにしてもよい。また、硬貨入出金機１と接続される紙幣入出金機やＰＯＳレジスタの操作表示部を、硬貨入出金機１の操作表示部１１０として代用してもよい。操作表示部１１０は、情報の表示及び利用者による操作の受付を行い、操作情報を制御部１００に出力する。操作表示部１１０は、例えば、偽貨が検出された場合に、偽貨の取扱いに関する情報等を表示する。
【００４１】
記憶部１２０は、例えばＨＤＤ（Hard Disk Drive）、又はＳＳＤ（Solid State Drive）等の補助記憶装置である。記憶部１２０は、オペーレーティングシステム（ＯＳ）、入出金処理プログラム及び入出金処理に関するデータ等を記憶する。
【００４２】
入出金処理プログラムは、例えば当該プログラムが格納されたコンピューター読取可能な可搬型記憶媒体（光ディスク、光磁気ディスク、及びメモリカードを含む）を介して提供される。また例えば、入出金処理プログラムは、当該入出金処理プログラムを保有するサーバ装置（外部装置）から、ネットワークを介してダウンロードにより提供されてもよい。なお、入出金処理プログラムは、ＲＯＭ１０２に記憶されてもよい。
【００４３】
入出金処理に関するデータは、例えば、収納繰出部４０ごとの設定データ、収納繰出部４０に収納されている金種の枚数データ、収納繰出部４０が偽貨収納用として割り当てられたことを示すフラグ、収納繰出部４０からの硬貨の繰出しの可否を示すフラグ、及び入出金モード（第１モード／第２モード）を示すフラグ等である。収納繰出部４０ごとの設定データは、例えば、各収納繰出部４０を識別可能に付与された識別ＩＤデータ、各収納繰出部４０の設置位置を示す設置位置データ、及び各収納繰出部４０に対して割り当てられた金種データ等を含む。
【００４４】
通信部１３０は、例えばＮＩＣ（Network Interface Card）、ＭＯＤＥＭ（MOdulator-DEModulator）、ＵＳＢ（Universal Serial Bus）等の通信インターフェースである。制御部１００は、通信部１３０を介して、有線／無線ＬＡＮ等のネットワークに接続された外部装置との間で各種データの送受信を行う。通信部１３０には、ＮＦＣ（Near Field Communication）やBluetooth（登録商標）等の近距離無線通信用の通信インターフェースを適用することもできる。
【００４５】
制御部１００は、記憶部１２０に記憶されている入出金処理プログラムを実行することにより、偽貨が検出された場合に、適切な搬送先へと偽貨を案内する。第１の実施の形態では、硬貨入出金機１の起動直後は、入出金モードが「第１モード」に設定されており、第１モードで通常の入出金処理が行われる。そして、偽貨の検出に伴い、第１モードから第２モードに自動的に切り替えられ、少なくとも偽貨の回収が行われるまで、第２モードで入出金処理が行われる。また、硬貨の回収時（偽貨の回収時を含む）は、入出金モードから回収モードに切り替えられる。
【００４６】
図５は、第１の実施の形態に係る入金処理の一例を示すフローチャートである。この処理は、例えば硬貨入出金機１の電源が投入されることに伴い、ＣＰＵ１０１が記憶部１２０に格納されている入出金処理プログラムを実行することにより実現される。
【００４７】
図５に示すように、ステップＳ１０１において、制御部１００は、識別部３２による投入硬貨の識別結果を取得する。制御部１００は、識別部３２による識別結果に基づいて、投入硬貨の金種と真偽を判断することができる。また、制御部１００は、投入硬貨の正損を判別してもよい。
【００４８】
ステップＳ１０２において、制御部１００は、投入硬貨が偽貨であるか否かを判定する。投入硬貨が偽貨である場合（ステップＳ１０２で“ＹＥＳ”）、ステップＳ１０３の処理に移行する。投入硬貨が偽貨でない場合（ステップＳ１０２で“ＮＯ”）、すなわち正貨又は損貨に関わらず真貨である場合、ステップＳ１０８の処理に移行する。
【００４９】
ステップＳ１０３において、制御部１００は、現在の入出金モードが第１モードであるか否かを判定する。現在の入出金モードが第１モードである場合、ステップＳ１０４の処理に移行する。現在の入出金モードが第２モードである場合、すなわち、すでに偽貨収納用の収納繰出部４０が設定されている場合、ステップＳ１０７の処理に移行する。
【００５０】
ここで、偽貨収納用に設定された収納繰出部４０からの硬貨の繰出しを、少なくとも出金処理において禁止することにより、偽貨の再流通を確実に防止することができる。よって、以下の説明では、偽貨収納用に設定された収納繰出部４０を「キャプチャービン４０ＣＢ」と称する。
【００５１】
ステップＳ１０４において、制御部１００は、入出金モードを示すフラグを、第１モードから第２モードに切り替える。
【００５２】
ステップＳ１０５において、制御部１００は、所定の条件に基づいて、複数の収納繰出部４０の中から偽貨収納用に割り当てるキャプチャービン４０ＣＢを決定する。所定の条件は、例えば、操作表示部１１０にリスト表示された複数の選択肢の中から、利用者が選択操作を行うことによって予め設定され、記憶部１２０に記憶される。複数の選択肢としては、例えば、以下に示す第１〜第６の条件が挙げられる。
【００５３】
［第１の条件］
第１の条件は、識別部３２と、入金搬送部３０によって搬送される硬貨を収納繰出部４０へ分岐する金種別選別部３３（分岐部）との間の距離により規定される。例えば、識別部３２に最も近い金種別選別部３３で選別された硬貨を収納する収納繰出部４０が、キャプチャービン４０ＣＢとして設定される。
【００５４】
偽貨の品質が劣悪である場合、入金搬送部３０によって偽貨が搬送される過程で搬送不良が生じることが懸念される。第１の条件に基づいてキャプチャービン４０ＣＢを設定することにより、このような搬送不良の発生を最小限に抑えることができる。なお、第２モードにおいて、キャプチャービン４０ＣＢは出金処理に用いることができないので、キャプチャービン４０ＣＢに収納された偽貨を早期に回収し、第１モードに復帰するのが好ましい。
【００５５】
［第２の条件］
第２の条件は、第１モードにおいて収納繰出部４０に割り当てられていた金種により規定される。例えば、第１モードにおいて最大金種の硬貨（ここでは５００円）を収納する収納繰出部４０が、キャプチャービン４０ＣＢとして設定される。
【００５６】
最大金種は、その他の金種に比較して、出金処理において繰り出される枚数が少ない。そのため、第２の条件に基づいてキャプチャービン４０ＣＢが設定された場合、キャプチャービン４０ＣＢに設定されていた金種の硬貨が、出金用の硬貨として必要とされる可能性は低く、偽貨を収納した後、ただちに偽貨を回収しなくても、そのまま運用することに耐えることができる。したがって、第２の条件に基づいてキャプチャービン４０ＣＢを設定することにより、偽貨取込みによる業務効率の低下を防止することができる。なお、業務効率の低下をより確実に防止するためには、キャプチャービン４０ＣＢに収納された偽貨を早期に回収し、第１モードに復帰するのが好ましい。
【００５７】
［第３の条件］
第３の条件は、第２モードに切り替える時点で、収納繰出部４０に収納されている硬貨枚数により規定される。具体的には、第２モードに切り替える時点で、収納されている硬貨枚数が最も多い収納繰出部４０が、キャプチャービン４０ＣＢとして設定される。
【００５８】
収納されている硬貨枚数が多い収納繰出部４０は、その収納繰出部４０から繰り出される硬貨の枚数が比較的少ない収納繰出部４０である。よって、収納されている硬貨枚数が多い収納繰出部４０がキャプチャービン４０ＣＢとして設定された場合、第２の条件に基づいてキャプチャービン４０ＣＢが設定された場合と同様に、収納された偽貨が早期に繰り出される可能性は低い。したがって、第３の条件に基づいてキャプチャービン４０ＣＢを設定することにより、偽貨取込みによる業務効率の低下を防止することができる。なお、業務効率の低下をより確実に防止するためには、キャプチャービン４０ＣＢに収納された偽貨を早期に回収し、第１モードに復帰するのが好ましい。
【００５９】
［第４の条件］
第４の条件は、第３の条件と同様に、第２モードに切り替える時点で、収納繰出部４０に収納されている硬貨枚数により規定される。具体的には、第２モードに切り替える時点で、収納されている硬貨枚数が最も少ない収容繰出部４０が、キャプチャービン４０ＣＢとして設定される。
【００６０】
硬貨枚数が少ない収納繰出部４０がキャプチャービン４０ＣＢとして設定された場合、収納された硬貨の中から偽貨を容易に選別することができる。したがって、第４の条件に基づいてキャプチャービン４０ＣＢを設定することにより、偽貨の回収処理の効率を高めることができる。なお、キャプチャービン４０ＣＢは、硬貨枚数が少ない収納繰出部４０であり、第１モードの出金処理では、その収納繰出部４０から繰り出される硬貨の枚数が比較的多い収納繰出部４０である。即ち、キャプチャービン４０ＣＢに設定されていた金種の硬貨が、出金用の硬貨として必要とされる可能性が高い。よって、業務効率の低下を防止するためには、キャプチャービン４０ＣＢに収納された偽貨を早期に回収し、第１モードに復帰するのが好ましい。さらに、業務効率の低下をより確実に防止するためには、キャプチャービン４０ＣＢに偽貨を収納した後、当該偽貨を含む入出金処理が完了した時点で運用を中断し、偽貨を回収するのが好ましい。なお、キャプチャービン４０ＣＢからの偽貨の回収処理は、キャプチャービン４０ＣＢに収納された硬貨を硬貨投出部６０に搬送して回収する方法で処理するのが好ましい。
【００６１】
［第５の条件］
第５の条件は、収納繰出部４０の筐体Ｃ内における設置位置により規定される。例えば、筐体Ｃの扉を開けてアクセスしやすい位置に設置されている収納繰出部４０がキャプチャービン４０ＣＢとして設定される。
【００６２】
アクセスしやすい位置に設置されている収納繰出部４０がキャプチャービン４０ＣＢとして設定された場合、キャプチャービン４０ＣＢに容易にアクセスすることができる。したがって、第５の条件に基づいてキャプチャービン４０ＣＢを設定することにより、キャプチャービン４０ＣＢから偽貨を含む硬貨全部を回収することなく、偽貨だけを回収することもでき、偽貨の回収処理の効率を高めることができる。なお、業務効率の低下をより確実に防止するためには、キャプチャービン４０ＣＢに収納された偽貨を早期に回収し、第１モードに復帰するのが好ましい。
【００６３】
［第６の条件］
第６の条件は、同一金種に割り当てられている収納繰出部４０の数により規定される。例えば、複数の収納繰出部４０に対して同一金種に割り当てられている場合、そのうちの一つがキャプチャービン４０ＣＢとして設定される。
【００６４】
同一金種に割り当てられている収納繰出部４０のうちの一つがキャプチャービン４０ＣＢとして設定された場合、当該キャプチャービン４０ＣＢからの硬貨の繰出し（回収のための繰出しを除く）を禁止することにより、偽貨の再流通を確実に防止することができるとともに、他方の収納繰出部４０から当該金種の硬貨を繰り出して投出することもできる。また、上記の第１〜第５の条件に基づいてキャプチャービン４０ＣＢが設定される場合に比較して、偽貨の回収タイミングの制限も少ない。したがって、第６の条件に基づいてキャプチャービン４０ＣＢを設定することにより、偽貨取込みによる入出金業務への支障はなく、利用者は、第１モードと同様に通常の入出金業務を遂行することができる。また真貨は、同一金種に割り当てられている収納繰出部４０のうちのキャプチャービン４０ＣＢとして設定されていない収納繰出部４０に収納することができ、キャプチャービン４０ＣＢへの真貨の搬送を禁止することができるので、偽貨の回収効率を高めることもできる。
【００６５】
本実施の形態のように、同一金種（ここでは１円と１０円）に複数の収納繰出部４０が割り当てられている場合は、第６の条件に基づいてキャプチャービン４０ＣＢが設定されるのが最適であるといえる。
【００６６】
なお、第１〜第６の条件に優先順位を設定し、これらを適宜組み合わせてキャプチャービン４０ＣＢが設定されるようにしてもよい。また、キャプチャービン４０ＣＢの設定方法は、上述したものに限定されず、他の態様であってもよい。例えば、検出された偽貨の金種が識別できている場合、その金種が割り当てられた収納繰出部４０以外をキャプチャービン４０ＣＢとして設定するようにしてもよい。この場合、利用者は、キャプチャービン４０ＣＢに収納されている硬貨の中から偽貨を容易に選別することができる。
【００６７】
以上のようにして、キャプチャービン４０ＣＢに割り当てる収納繰出部４０が決定されると、ステップＳ１０６において、制御部１００は、報知部（例えば操作表示部１１０）を制御して、入出金モードが第２モードに切り替えられ、機内に偽貨が取り込まれたことを利用者に報知する。このとき、機内に偽貨が取り込まれたこととともに、キャプチャービン４０ＣＢに設定された収納繰出部４０の識別ＩＤ、設置位置、及び当該収納繰出部４０に割り当てられている金種等を報知してもよい。これにより、利用者は、機内に偽貨が取り込まれたことを知得できるとともに、偽貨の回収処理を行う必要があることを知得できる。
【００６８】
なお、報知部として機能する音声出力部やＬＥＤを硬貨入出金機１に設け、音声や発光により機内に偽貨が取り込まれたことを報知するようにしてもよい。
【００６９】
ステップＳ１０７において、制御部１００は、第２モードに従って入金搬送部３０（金種別選別部３３）の動作を制御して、偽貨をキャプチャービン４０ＣＢに搬送する。これにより、偽貨は返却されず、機内に取り込まれる。機内に取り込まれた偽貨を適宜回収することにより、偽貨の再流通を防止することができる。原則として偽貨は入金金額に算入されないが、金種が低額である場合など、例外的に入金金額に算入してもよい。
【００７０】
ステップＳ１０８において、制御部１００は、入金搬送部３０（金種別選別部３３）の動作を制御して、金種ごと又はキャプチャービン４０ＣＢに割り当てられた収納繰出部４０に投入硬貨を搬送する。具体的には、第１モード及び第２モードにおいて真貨を受け入れた場合（ステップＳ１０２で“ＮＯ”）、金種毎に割り当てられた収納繰出部４０に投入硬貨が搬送される。第２モードでキャプチャービン４０ＣＢとして設定された収納繰出部４０には、第１モードで割り当てられていた金種がそのまま割り当てられている。第２モードにおいて真貨を受け入れた場合は、キャプチャービン４０ＣＢとして設定された収納繰出部４０にも、真貨が継続して収納されることとなる。なお、第６の条件に基づいてキャプチャービン４０ＣＢが設定された場合は、この限りでない。また、第２モードにおいて偽貨を受け入れた場合（ステップＳ１０３で“ＮＯ”）は、キャプチャービン４０ＣＢに設定されている収納繰出部４０に偽貨が搬送される。
【００７１】
なお、投入硬貨が損貨である場合は、その金種に割り当てられた収納繰出部４０に搬送するようにしてもよいし、硬貨投出部６０に返却するようにしてもよい。
【００７２】
以上のようにして、偽貨を含む硬貨の入金処理が行われる。この入金処理は、硬貨受入部１０から硬貨が投入されるごとに繰り返し実行される。
【００７３】
キャプチャービン４０ＣＢに収納された偽貨は、例えば、偽貨を含む入出金処理が完了した時点、入出金業務の終了時点（硬貨入出金機１の電源をオフする時点）、又は所定のタイミングで、以下のようにして回収することができる。入出金処理において、キャプチャービン４０ＣＢに割り当てられた収納繰出部４０からの硬貨の繰出しが必要となる場合に、当該収納繰出部４０からの硬貨の繰出に先立って、偽貨の回収が指示されるようにしてもよい。硬貨入出金機１は、例えば、操作表示部１１０又は上位装置（外部装置）から回収処理の指示を受け付けることに伴い、硬貨を回収するための回収モードに移行する。
【００７４】
回収モードにおいて、制御部１００は、例えば、キャプチャービン４０ＣＢに収納した偽貨を含む全硬貨を順次繰出し、硬貨投出部６０に投出する。利用者は、投出された硬貨の中から偽貨を選別して回収することができる。
【００７５】
また例えば、制御部１００は、キャプチャービン４０ＣＢに収納された偽貨を含む全硬貨を順次繰出し、回収ボックス７０に搬送するようにしてもよい。利用者は、硬貨入出金機１から回収ボックス７０を取り出し、収納されている硬貨の中から偽貨を選別して回収することができる。この場合、回収ボックス７０にオーバーフロー硬貨が収納されている場合があるので、偽貨の回収に先立って回収ボックス７０を交換し、キャプチャービン４０ＣＢに収納されていた硬貨のみを空の回収ボックス７０に回収するのが好ましい。
【００７６】
また例えば、利用者は、キャプチャービン４０ＣＢから直接手作業で偽貨を回収することもできる。
【００７７】
硬貨入出金機１は、例えば、操作表示部１１０又は上位装置（外部装置）から回収処理の終了を受け付けることに伴い、入出金モードに移行する。このとき、回収前の状態（第２モード）ではなく、改めて第１モードに復帰するのが好ましい。これにより、キャプチャービン４０ＣＢに割り当てられた収納繰出部４０からの硬貨の繰出しは、偽貨の回収が行われること、すなわち、収納繰出部４０に貨幣が収納されていないことを条件として許可される。
【００７８】
このように、第１の実施の形態に係る硬貨入出金機１（貨幣処理装置）は、機外から貨幣を受け入れる貨幣受入部１０と、貨幣受入部１０から投入された貨幣を搬送する入金搬送部３０（搬送部）と、入金搬送部３０によって搬送される貨幣の金種及び真偽を識別する識別部３２と、貨幣を収納するとともに、収納された貨幣を繰出し可能な複数の収納繰出部４０と、収納繰出部から繰り出された貨幣を投出する貨幣投出部６０と、複数の収納繰出部４０への貨幣の収納及び複数の収納繰出部４０からの貨幣の繰出しを制御する制御部１００と、を備える。硬貨入出金機１は、複数の収納繰出部４０を金種ごとに割り当てる第１モードと、複数の収納繰出部４０の少なくとも一つを偽貨収納用に割り当てる第２モードと、を有する。制御部１００は、第１モードと第２モードのうち、選択したモードに従って貨幣の収納及び繰出しを制御する。
【００７９】
また、制御部１００は、識別部３２が偽造貨幣を検出したことを条件として、第１モードから第２モードに切り替える。
【００８０】
硬貨入出金機１によれば、偽貨が検出されると第１モードから第２モードに移行し、キャプチャービン４０ＣＢに偽貨が収納され、機内に取り込まれる。利用者は、機内に取り込まれた偽貨を適宜回収することにより、偽貨の再流通を防止することができる。また、硬貨入出金機１によれば、偽貨専用にキャプチャービン４０ＣＢを設ける必要がないので、機器サイズが大きくなることもない。さらには、硬貨入出金機１は、既存の硬貨入出金機のハードウェア構成を変更することなく、入出金処理プログラムをバージョンアップすることにより実現することができる。
【００８１】
したがって、硬貨入出金機１は、ＥＣＢレギュレーション等の偽貨の取扱いに関する規定（設置事業者ごとの規定を含む）に対して柔軟に対応することができる。さらには、第１モードから第２モードへ自動的に切り替わるので、利用者は機内に偽貨が取り込まれたことを別段意識することなく、入出金業務を通常通り遂行することができる。
【００８２】
また、第１モードの出金処理では、全ての収納繰出部４０からの硬貨の繰出しを許可し、第２モードの出金処理では、偽貨収納用に割り当てられた収納繰出部４０（キャプチャービン４０ＣＢ）からの硬貨の繰出しを禁止するので、偽貨の再流通を確実に防止することができる。
【００８３】
［第２の実施の形態］
第２の実施の形態に係る硬貨入出金機２は、第１の実施の形態と同様のハードウェア構成を有する。第２の実施の形態に係る硬貨入出金機２は、第１の実施の形態とは、インストールされている入出金処理プログラムが異なる。
【００８４】
第２の実施の形態では、硬貨入出金機２の起動直後は、入出金モードが「第１モード」に設定されており、第１モードで通常の入出金処理が行われる。そして、偽貨の検出に伴い、設置事業者の運用に応じて、第１モードから第２モードに手動で切り替えられ、偽貨の回収が行われるまで、第２モードで入出金処理が行われる。また、硬貨の回収時は、入出金モードから回収モードに切り替えられる。
【００８５】
図６は、第２の実施の形態に係る入出金処理の一例を示すフローチャートである。この処理は、例えば硬貨入出金機２の電源が投入されることに伴い、ＣＰＵ１０１が記憶部１２０に格納されている入出金処理プログラムを実行することにより実現される。なお、第１の実施の形態における入出金処理（図５のフローチャート）と同様の処理については、詳細な説明を省略する。
【００８６】
図６に示すように、ステップＳ２０１において、制御部１００は、識別部３２による投入硬貨の識別結果を取得する。
【００８７】
ステップＳ２０２において、制御部１００は、投入硬貨が偽貨であるか否かを判定する。投入硬貨が偽貨である場合（ステップＳ２０２で“ＹＥＳ”）、ステップＳ２０３の処理に移行する。投入硬貨が偽貨でない場合（ステップＳ２０２で“ＮＯ”）、すなわち正貨又は損貨であるに関わらず真貨である場合、ステップＳ２１２の処理に移行する。
【００８８】
ステップＳ２０３において、制御部１００は、現在の入出金モードが第１モードであるか否かを判定する。現在の入出金モードが第１モードである場合（ステップＳ２０３で“ＹＥＳ”）、ステップＳ２０４の処理に移行する。現在の入出金モードが第２モードである場合（ステップＳ２０３で“ＮＯ”）、すなわち、すでにキャプチャービン４０ＣＢが設定されている場合、ステップＳ２１１の処理に移行する。
【００８９】
ステップＳ２０４において、制御部１００は、入金搬送部３０の動作を制御して、投入硬貨の搬送を停止する。投入された偽貨は、識別部３２と硬貨搬送方向において最上流に配置された金種別選別部３３の間で保持される。
【００９０】
ステップＳ２０５において、制御部１００は、操作表示部１１０に、モード切替承認画面を表示させる。モード切替承認画面には、例えば、偽貨が検出されたことが表示されるとともに、第１モードから第２モードへ移行してもよいか確認するための承認ボタンが表示される。
【００９１】
ステップＳ２０６において、制御部１００は、利用者による操作表示部１１０を通じた承認操作又は否認操作を受け付ける。
【００９２】
ステップＳ２０７において、制御部１００は、利用者によって第２モードへの移行が承認されたか否かを判定する。第２モードへの移行が承認された場合（ステップＳ２０７で“ＹＥＳ”）、ステップＳ２０８の処理に移行する。第２モードへの移行が否認された場合（ステップＳ２０７で“ＮＯ”）、制御部１００は、第１モードが保持されたまま硬貨の搬送を再開し、偽貨と判定された硬貨を硬貨投出部６０に搬送して返却する（ステップＳ２１３）。
【００９３】
ステップＳ２０８において、制御部１００は、入出金モードを示すフラグを、第１モードから第２モードに切り替える。
【００９４】
ステップＳ２０９において、制御部１００は、所定の条件に基づいて、複数の収納繰出部４０の中から偽貨収納用に割り当てるキャプチャービン４０ＣＢを決定する。キャプチャービン４０ＣＢの設定は、第１の実施の形態と同様である。
【００９５】
ステップＳ２１０において、制御部１００は、入出金モードが第２モードに切り替えられ、偽貨が取り込まれたことを利用者に報知する。
【００９６】
ステップＳ２１１において、制御部１００は、第２モードに従って入金搬送部３０（金種別選別部３３）の動作を制御して、硬貨の搬送を再開し、偽貨をキャプチャービン４０ＣＢに搬送する。これにより、偽貨は返却されず、機内に取り込まれる。機内に取り込まれた偽貨を適宜回収することにより、偽貨の再流通を防止することができる。原則として偽貨は入金金額に算入されないが、金種が総額である場合など、例外的に入金金額に算入してもよい。
【００９７】
ステップＳ２１２において、制御部１００は、入金搬送部３０（金種別選別部３３）の動作を制御して、金種ごと又はキャプチャービン４０ＣＢに割り当てられた収納繰出部４０に投入硬貨を搬送する。具体的には、第１モード及び第２モードにおいて真貨を受け入れた場合（ステップＳ２０２で“ＮＯ”）、金種毎に割り当てられた収納繰出部４０に投入硬貨が搬送される。第２モードでキャプチャービン４０ＣＢとして設定された収納繰出部４０には、第１モードで割り当てられていた金種がそのまま割り当てられている。第２モードにおいて真貨を受け入れた場合は、キャプチャービン４０ＣＢとして設定された収納繰出部４０にも、真貨が継続して収納されることとなる。なお、第６の条件に基づいてキャプチャービン４０ＣＢが設定された場合は、この限りでない。また、第２モードにおいて偽貨を受け入れた場合（ステップＳ２０２で“ＮＯ”）は、キャプチャービン４０ＣＢとして設定されている収納繰出部４０に偽貨が搬送される。
【００９８】
なお、投入硬貨が損貨である場合は、その金種に割り当てられた収納繰出部４０に搬送するようにしてもよいし、硬貨投出部６０に返却するようにしてもよい。
【００９９】
キャプチャービン４０ＣＢに収納された偽貨は、第１の実施の形態と同様に、適宜回収される。
【０１００】
このように、第２の実施の形態に係る硬貨入出金機２（貨幣処理装置）は、第１の実施の形態と同様に、機外から貨幣を受け入れる貨幣受入部１０と、貨幣受入部１０から投入された貨幣を搬送する入金搬送部３０（搬送部）と、入金搬送部３０によって搬送される貨幣の金種及び真偽を識別する識別部３２と、貨幣を収納するとともに、収納された貨幣を繰出し可能な複数の収納繰出部４０と、収納繰出部から繰り出された貨幣を投出する貨幣投出部６０と、複数の収納繰出部４０への貨幣の収納及び複数の収納繰出部４０からの貨幣の繰出しを制御する制御部１００と、を備える。硬貨入出金機１は、複数の収納繰出部４０を金種ごとに割り当てる第１モードと、複数の収納繰出部４０の少なくとも一つを偽貨収納用に割り当てる第２モードと、を有する。制御部１００は、第１モードと第２モードのうち、選択したモードに従って貨幣の収納及び繰出しを制御する。
【０１０１】
また、硬貨入出金機２は、識別部３２が偽造貨幣を検出したことを報知する操作表示部１２０（報知部）と、第１モード又は第２モードの選択指示を受け付ける操作表示部１２０（入力部）と、をさらに備える。制御部１００は、入力部としての操作表示部１２０からの入力に基づいて第１モードから第２モードに切り替える。
【０１０２】
硬貨入出金機２によれば、偽貨が検出され、第１モードから第２モードへの移行が承認されると、キャプチャービン４０ＣＢに偽貨が収納され、機内に取り込まれる。利用者は、機内に取り込まれた偽貨を適宜回収することにより、偽貨の再流通を防止することができる。また、硬貨入出金機２によれば、偽貨専用にキャプチャービン４０ＣＢを設ける必要がないので、機器サイズが大きくなることもない。さらには、硬貨入出金機２は、既存の硬貨入出金機のハードウェア構成を変更することなく、入出金処理プログラムをバージョンアップすることにより実現することができる。
【０１０３】
したがって、硬貨入出金機２は、ＥＣＢレギュレーション等の偽貨の取扱いに関する規定（設置事業者ごとの規定を含む）に対して柔軟に対応することができる。さらには、ＥＣＢレギュレーションのように偽貨の取扱いに関する厳格な規定がない場合は、設置事業者ごとの規定に従った運用が可能となる。例えば、少額金種の偽貨は返却し、高額金種の偽貨は機内に取り込むといった運用も可能となる。
【０１０４】
以上、本発明者によってなされた発明を実施の形態に基づいて具体的に説明したが、本発明は上記実施の形態に限定されるものではなく、その要旨を逸脱しない範囲で変更可能である。
【０１０５】
例えば、実施の形態では、制御部１００は、第１モードでは、全ての収納繰出部４０からの硬貨の繰出しを許可し、第２モードの出金処理では、偽貨収納用に割り当てられた収納繰出部４０（キャプチャービン４０ＣＢ）からの硬貨の繰出しを禁止する場合について説明したが、第２モードの出金処理において、所定の条件が成立する場合は、キャプチャービン４０ＣＢからの硬貨の繰り出しを許可してもよい。所定の条件は、例えば、キャプチャービン４０ＣＢから偽貨が繰り出されないことが保証できる場合である。収納繰出部４０が、先に収納されていた硬貨から順に繰り出されるように構成されており、偽貨が収納される前に真貨が既に収納されていた場合は、先に収納されていた真価を繰り出す限りにおいて、収納繰出部４０（キャプチャービン４０ＣＢ）からの硬貨の繰出しを許容してもよい。これにより、第２モードにおいてキャプチャービン４０ＣＢに偽貨を収納した後、ただちに偽貨を回収しなくても、しばらくはそのまま運用できるので、業務効率の低下を防止することができる。なお、この場合も、業務効率の低下を防止するためには、キャプチャービン４０ＣＢに収納された偽貨を早期に回収し、第１モードに復帰するのが好ましい。
【０１０６】
本発明は、実施の形態で説明した硬貨入出金機１、２に限定されず、例えば、図７Ａ、図７Ｂに示す内部構造を有する硬貨入出金機３にも適用できる。図７Ａは、硬貨入出金機３の入出金経路を概略的に示す側面図であり、図７Ｂは、硬貨入出金機３の出金経路を概略的に示す平面図である。
【０１０７】
具体的には、図７Ａ、図７Ｂに示す硬貨入出金機３は、装置上部に配置された硬貨受入部１０、硬貨受入部１０の下方に配置され識別部３２及び金種別選別部３３を有する入金搬送部３０、入金搬送部３０の下方に配置され直線状に延在する出金搬送部５０、並びに出金搬送部５０の延在方向に沿って両側に４つずつ配置された収納繰出部４０を備える。収納繰出部４０は、水平に設置された回転円板を有する硬貨収納繰出ユニットである。このような硬貨入出金機３においても、実施の形態とほぼ同様に入出金処理が行われる。
【０１０８】
さらに、本発明は、硬貨入出金機だけでなく、紙幣の入出金処理を行う紙幣入出金機にも適用することができる。紙幣入出金処理機は、例えば、特開２０１２−２０３６６６号公報に開示の構成を有する。本発明は、公知の紙幣入出金機において、入出金処理プログラムをバージョンアップすることにより実現することができるので、紙幣入出金処理機の詳細な構成については説明を省略する。また、本発明は、硬貨や紙幣を扱う入出金機だけでなく、自動釣銭機や両替機にも適用することができる。
【０１０９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１１０】
１、２、３  硬貨入出金機（貨幣処理装置）
１０  硬貨受入部（貨幣受入部）
２０  貯留繰出部
２１  回転円盤
２２  カバー部材
２３  硬貨貯留空間
３０  入金搬送部（搬送部）
３１  搬送ベルト
３２  識別部
３３  金種別選別部
３４  リジェクト選別部
３５  通過センサー
３６  シュート
３７  駆動モーター
４０  収納繰出部
４１  回転円盤
４２  カバー部材
４３  硬貨収納空間
５０  出金搬送部
５１  搬送ベルト
６０  硬貨投出部（貨幣投出部）
７０  回収ボックス（予備収納部）
１００  制御部
１１０  操作表示部（報知部）
Ｃ  筐体
【図１】
2018142260.tif 000003
【図２】
2018142260.tif 000004
【図３】
2018142260.tif 000005
【図４】
2018142260.tif 000006
【図５】
2018142260.tif 000007
【図６】
2018142260.tif 000008
【図７】
2018142260.tif 000009